【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
患者データ欄、診察データ欄、指導料データ欄を含む診察情報登録画面を表示する表示手段と、
病名データ、及び、該病名データに対応する指導料データを備えた指導料算定マスタを記憶する記憶手段と、
患者の病名データに基づいて、前記指導料算定マスタを参照することにより、対応する指導料データを抽出し、抽出した指導料データが複数ある場合、点数の高い順に並び替えて前記表示手段の診察情報登録画面の指導料データ欄に表示させる制御手段とを備えたことを特徴とする医療用事務処理装置。
【請求項２】
前記制御手段は、過去に指導料を算定したことがない患者の場合、算定可能指導料リスト選択処理の結果、最も点数の高い指導料算定データを、前記表示手段の診察情報登録画面の指導料データ欄に表示させることを特徴とする請求項１に記載の医療用事務処理装置。
【請求項３】
患者データ欄、診察データ欄、指導料データ欄を含む診察情報登録画面を表示する表示手段と、
病名データ、及び、該病名データに対応する指導料データを備えた指導料算定マスタと、過去に算定された指導料データとを記憶する記憶手段と、
患者の病名データに基づいて、前記指導料算定マスタを参照することにより、対応する指導料データを抽出し、該指導料データと、前記記憶手段に記憶した過去の指導料データとを時系列で並び替え、前記表示手段に最も近い順に表示させる制御手段とを備えたことを特徴とする医療用事務処理装置。
【請求項４】
前記制御手段は、過去に指導料を算定したことがある患者の場合、過去に算定した指導料のうち、最も近い指導料算定データを、前記表示手段の診察情報登録画面の指導料データ欄に表示させることを特徴とする請求項３に記載の医療用事務処理装置。
【請求項５】
前記制御手段は、抽出した指導料データがある場合、電子カルテが起動される電子カルテ用端末に指導料を要請するためのメッセージを表示させ、電子カルテで指導したことが記録されることにより、レセプトでの請求を許可することを特徴とする請求項１乃至４のいずれか１項に記載の医療用事務処理装置。
【手続補正２】
【補正対象書類名】明細書
【補正対象項目名】００４５
【補正方法】変更
【補正の内容】
【００４５】
新患の場合、新患受付ボタンをクリックし、図３Ａに示す患者保険情報登録画面を別ウィンドウで表示させる。患者情報登録画面では、基本情報の登録画面が初期表示されるので、患者の氏名や生年月日等を入力する。年齢は、入力された生年月日と本日の日付とから自動計算されて表示される。続いて、主保険タブを選択し、主保険情報を入力する画面を表示させる。図３Ａは、基本情報入力後、主保険情報を入力する画面を表示させ、保険者番号を入力した状態を示している。入力した保険者番号で既に登録済みのデータがあれば、その他の項目に登録されているデータが自動的に表示される。負担率の項目には、患者の年齢から算出した値が自動入力される。一方、登録済みのデータがなければ、図３Ｂに示す保険マスタ登録画面が表示され、保険業者情報、負担率を設定する。負担率の設定は年齢の違いに応じた値に設定する。登録ボタンを操作して保険マスタ登録画面を閉じると、患者保険情報登録画面に登録内容が表示される。負担率の欄には、患者の年齢と、保険マスタ登録画面で設定した年齢別の負担率とから該当する負担率が表示される。また、イメージボタンを操作すれば、スキャナ等を使用して保険証の画像データを取り込むことが可能である。この保険証の画像データは、その後保険証の内容を確認する場合等に使用することができる。これにより、万一、入力ミス等があった場合でも、わざわざ患者に確認する必要がなくなる。図３Ａに示す患者保険情報登録画面での入力が完了すれば、登録ボタンを操作してこの画面を閉じ、図２に示す受付画面に復帰する。
【手続補正３】
【補正対象書類名】明細書
【補正対象項目名】００５６
【補正方法】変更
【補正の内容】
【００５６】
例えば、指導料計算処理では、図７Ｂに示すように、患者病名データ及び算定過去データに基づいて、指導料算定マスタを参照して算定可能指導料リスト選択処理を行う。処理結果は、図３Ｅに示す診察情報登録画面の優先算定指導管理料欄に表示する。過去に指導料を算定したことのない患者の場合、算定可能指導料リスト選択処理の結果、最も点数の高い指導料算定データを表示し、指導料を算定した実績がある患者の場合、最も近い指導料算定データを表示する。また、優先算定指導管理料欄は図７Ｃに示すようにプルダウン表示可能となっており、前者の場合、点数の高い順に表示し、後者の場合、指導料の算定時期の近い順に表示する。処理結果は指導要請データとして格納し、図７Ｄに示すように、電子カルテ用端末に表示されるカルテ診察画面にメッセージとして表示する。このメッセージに基づいて医師が患者に指導を行い、電子カルテに書き込みした場合にのみ、レセコンでの請求が可能となる。
【手続補正４】
【補正対象書類名】明細書
【補正対象項目名】００７５
【補正方法】変更
【補正の内容】
【００７５】
すなわち、ステップＳ２３０で、点滴手技料の４７点を取り消し、年齢が２８歳であるので、ステップＳ２３１からステップＳ２３５に進む。そして、点滴の総量が６００ｍｌであるので、ステップＳ２３６に進み、点滴手技料として９５点を得る。
【手続補正５】
【補正対象書類名】明細書
【補正対象項目名】００８９
【補正方法】変更
【補正の内容】
【００８９】
【図１】本実施形態に係る医療用事務処理装置の構成を示すブロック図である。
【図２】図１の表示装置に初期画面として表示される受付業務画面である。
【図３Ａ】図２の画面で、新患受付ボタンを操作することにより表示される患者保険情報登録画面を示す図である。
【図３Ｂ】図３Ａの画面で、保険者情報が登録されていないと判断された場合に表示される保険マスタ登録画面を示す図である。
【図３Ｃ】図３Ａの患者保険情報登録画面での入力が完了することにより表示される診察情報登録画面を示す図である。
【図３Ｄ】図２の画面で、新予約ボタンを操作することにより表示される予約会計画面を示す図である。
【図３Ｅ】図２の画面で、診察情報入力ボタンを操作することにより表示される診察情報登録画面を示す図である。
【図３Ｆ】図２の画面で、調査ボタンを操作することにより表示される調査画面を示す図である。
【図３Ｇ】図２の画面で、カルテ参照ボタンを操作することにより表示されるカルテ参照画面を示す図である。
【図３Ｈ】指導料算定マスタに登録されたデータの一部を示す図である。
【図４】図２の画面で、患者ＩＤボタンをクリックすることにより表示される患者ＩＤ検索画面である。
【図５】会計業務を示すフローチャートである。
【図６】図５のコード変換処理を示すフローチャートである。
【図７Ａ】図５のレセプト算定ロジックを示すフローチャートである。
【図７Ｂ】指導料計算を示す処理フロー図である。
【図７Ｃ】図３Ｅに示す診察情報登録画面の優先算定指導管理料欄をプルダウン表示させた状態を示す図である。
【図７Ｄ】電子カルテ用端末に表示されるカルテ診察画面を示す図である。
【図８】図５の一部負担金作成処理を示すフローチャートである。
【図９】図５の請求書データ作成処理を示すフローチャートである。
【図１０】図７のレセプト算定ロジックの診療報酬点数算定処理で行う投薬量計算処理を示すフローチャートである。
【図１１】図１０の投薬量計算処理で行う薬剤料計算処理を示すフローチャートである。
【図１２】図１０の投薬量計算処理で行う薬剤料点数計算を示すフローチャートである。
【図１３】図１０の投薬量計算処理で行う内服薬種類数計算を示すフローチャートである。
【図１４】図１０の投薬量計算処理で行う逓減点数計算を示すフローチャートである。
【図１５】図７のレセプト算定ロジックの診療報酬点数算定処理で行う注射料計算処理を示すフローチャートである。
【図１６】図１５の注射料計算処理で行う手技料計算処理を示すフローチャートである。
【図１７】図１５の注射料計算処理で行う点滴手技料計算処理を示すフローチャートである。
【図１８】図２に示す受付業務画面で、会計業務ボタンをクリックすることにより表示される会計予約画面である。
【図１９】図１８に示す会計予約画面で、会計ボタンをクリックすることにより表示される精算画面である。
【図２０】図１９に示す精算画面で、会計カードタブをクリックすることにより表示される診療報酬点数を算出するために必要とされる項目の一覧表である。
【図２１】図２に示す受付業務画面で、予約ボタンをクリックすることにより表示される予約画面である。
【図２２】公費マトリックスを示す図表である。
【図２３】コメント追加機能を示す処理フロー図である。
【図２４】レセプト作成画面を示す図である。
【図２５】図２４に示すレセプト作成画面で、コメント編集ボタンを操作することにより表示されるコメント編集用会計カード画面を示す図である。
【手続補正６】
【補正対象書類名】図面
【補正対象項目名】図２
【補正方法】変更
【補正の内容】
【図２】
2005292917.tif 000001